(57)【特許請求の範囲】
【請求項１】
縦線と横線が交差する１対の網状側枠を有し、前記横線を長手方向とする法枠用型枠を段ボールで包んだ法枠用型枠の梱包体において、前記法枠用型枠は、その網状側枠の縦線が長手方向の少なくとも中間部分では、前記縦線の上端部又は下端部を折り曲げて該網状型枠の上辺又は下辺に位置する横線にそれぞれ巻付けるとともに他端側の端部は該網状側枠の上辺又は下辺に位置する横線を越えて突出しないものとし、前記段ボールは、該法枠用型枠の両端部のみを包んでいることを特徴とする法枠用型枠の梱包体。
【請求項２】
前記法枠用型枠は、前記一対の網状側枠を連結するスペーサを有し、該スペーサが該一対の網状側枠に回転可能に取付けられた折り畳み可能な法枠用型枠であり、複数の該法枠用型枠を折り畳んだ状態で重ね、その長手方向両端部のみが前記段ボールで包まれていることを特徴とする請求項１に記載の法枠用型枠の梱包体。
【請求項３】
縦線と横線が交差する１対の網状側枠を有し、前記横線を長手方向とする法枠用型枠を段ボールで包む梱包方法において、前記法枠用型枠は、その網状側枠の縦線が長手方向の少なくとも中間部分では、前記縦線の上端部又は下端部を折り曲げて該網状型枠の上辺又は下辺に位置する横線にそれぞれ巻付けるとともに他端側の端部は該網状側枠の上辺又は下辺に位置する横線を越えて突出しないものとし、前記段ボールは、該法枠用型枠の両端部をそれぞれ包むことを特徴とする法枠用型枠の梱包方法。
【発明の詳細な説明】
【０００１】
【発明の属する技術分野】
本発明は段ボールを用いた法枠用型枠の梱包体及び梱包方法に関する。
【０００２】
【従来の技術】
斜面安定化のための法枠形成用の型枠は、法枠長手方向に配設した一対の網状側枠とこの網状側枠同士を連結するスペーサとにより構成される。網状側枠は、例えばクリンプ金網からなり、長手方向の横線に対し縦線を上下方向に織り込んだ構成である。
【０００３】
法枠用型枠は通常長さ約１ｍ〜４ｍで高さが約２０ｃｍ〜５０ｃｍであり、工場等から現場に搬送する場合、一対の網状側枠同士を重ねて折り畳んだ状態で、複数の型枠を重ねて段ボールで包んで梱包される。
【０００４】
従来の法枠用型枠は、網状側枠における縦線の上下端部が切放し状態で、網状型枠の上辺（最上位の横線）及び下辺（最下位の横線）よりそれぞれ上下方向に突出していた。
【０００５】
このような従来の法枠用型枠では地山斜面に設置したときに、網状側枠の縦線の上端部が型枠の上辺から上方に突出するため、衣類やコンクリートホース等に引っ掛り作業性が悪い。
【０００６】
この点に対処するため、型枠を構成する網状側枠の縦線の上端部のみを折曲げた法枠用型枠構造が提案されている（実用新案登録第２５４９１７４号公報及び特開平８−２１８３８２号公報等）。これにより、型枠上側に突出する縦線端部による作業性の低下がなくなる。
【０００７】
従来の法枠用型枠を梱包する場合、網状側枠の縦線が上下両端ともに突出している場合及び上記公報記載のように上端部を折り曲げ加工して下端部のみが突出している場合のいずれにおいても、突出した縦線の端部が露出していると取り扱いにくく、また持ち運び中や搬送中に突出した縦線端部が周囲物品に引っ掛って傷付けるおそれがある。このため、従来は、法枠用型枠の両端部を含めて長手方向の全体に渡って段ボールで包むことにより梱包体を形成していた。
【０００８】
【発明が解決しようとする課題】
しかしながら、型枠全体を段ボールで包むと、段ボールの使用量が多量になるとともに梱包の手間がかかり作業が面倒になる。また、現場に到着した後、梱包を解いた後には、使用済の不用段ボールが多量に発生する。このような不用段ボールは、環境衛生上問題とならないように廃棄処分しなければならず、その分の手間がかかるとともに処分のための費用も余計にかかる。
【０００９】
本発明は、上記従来技術を考慮したものであって、取扱性を低下させたり周囲物品等を引っ掛けて傷付けることなく、梱包用段ボールの使用量を減少させ、梱包の手間を軽減するとともに使用後の段ボールの廃棄処理の手間及び費用を低減させた法枠用型枠の梱包体及び梱包方法の提供を目的とする。
【００１０】
【課題を解決するための手段】
前記目的を達成するため、本発明に係る法枠用型枠の梱包体は、縦線と横線が交差する１対の網状側枠を有し、前記横線を長手方向とする法枠用型枠を段ボールで包んだ法枠用型枠の梱包体において、前記法枠用型枠は、その網状側枠の縦線が長手方向の少なくとも中間部分では、前記縦線の上端部又は下端部を折り曲げて該網状型枠の上辺又は下辺に位置する横線にそれぞれ巻付けるとともに他端側の端部は該網状側枠の上辺又は下辺に位置する横線を越えて突出しないものとし、前記段ボールは、該法枠用型枠の両端部のみを包んでいることを特徴とする。
【００１１】
この構成によれば、法枠用型枠の少なくとも中間部分の上辺及び下辺は、いずれも網状側枠の縦線が突出せず実質上平坦（直線状）となるため、この部分が露出しても取扱性を低下させたり周囲を傷付けることはない。したがって、長手方向の中間部分を露出させて両端部のみを段ボールで包んだ状態であっても何ら支障はなく、段ボールの使用量を減少させ梱包の手間を軽減するとともに廃棄処分の手間及び費用を削減することができる。
【００１２】
好ましい構成例では、前記法枠用型枠は、前記一対の網状側枠を連結するスペーサを有し、該スペーサが該一対の網状側枠に回転可能に取付けられた折り畳み可能な法枠用型枠であり、複数の該法枠用型枠を折り畳んだ状態で重ね、その長手方向両端部のみが前記段ボールで包まれていることを特徴としている。
【００１３】
この構成によれば、網状側枠をスペーサとともに折り畳んだ状態で複数の法枠用型枠を重ね、その両端部のみを段ボールで包んで中間部は全て型枠が露出した状態で梱包体が形成される。
【００１４】
本発明は、さらに法枠用型枠の梱包方法として、縦線と横線が交差する１対の網状側枠を有し、前記横線を長手方向とする法枠用型枠を段ボールで包む梱包方法において、前記法枠用型枠は、その網状側枠の縦線が長手方向の少なくとも中間部分では、前記縦線の上端部又は下端部を折り曲げて該網状型枠の上辺又は下辺に位置する横線にそれぞれ巻付けるとともに他端側の端部は該網状側枠の上辺又は下辺に位置する横線を越えて突出しないものとし、前記段ボールは、該法枠用型枠の両端部をそれぞれ包むことを特徴とする法枠用型枠の梱包方法を提供する。
【００１５】
この構成によれば、長手方向中間部に網状側枠の縦線が突出しない上下の各辺が平坦状の法枠用型枠の両端部を段ボールで包み、中間部を露出させた状態で梱包体が形成される。これにより、前述のように、段ボールの使用量を減少させ梱包の手間を軽減するとともに廃棄処分の手間及び費用を削減することができる。
【００１６】
この場合、型枠端部の下辺に滑り止め用の突出部を設けた法枠用型枠にも適用することができる。このような法枠用型枠を用いれば、例えば斜面に植生用の金網を敷いた場合等に、型枠端部の突起が金網に引っ掛って滑らなくなり、滑りやすい金網上への型枠設置作業が円滑に行なわれる。
【００１７】
以下図面を参照して本発明の実施の形態について説明する。図１は本発明の実施形態に係る法枠用型枠の概略全体図であり、図２はそのＡ部及びＢ部の詳細図である。
【００１８】
この法枠用型枠１は、左右一対の網状側枠２と、これらを連結するスペーサ５から構成される。各網状側枠２は、この例では、縦線３及び横線４を格子状に織り込んだクリンプ金網からなる。スペーサ５は、上下の横棒６及び左右の縦棒７を井桁状に結合したものであり、網状側枠２の長手方向に沿って所定間隔ごとに複数個設けられる（図では１個のみ示す）。上下の各横棒６の両端は網状側枠２の縦線３に対し回動可能に取付けられる。これにより、網状側枠２を重ねて折り畳み可能となる。
【００１９】
網状側枠２の縦線３は、例えば１本おきに、その上端が最上位の横線４ａ（網状側枠２の上辺の横線）に対し、図２（Ａ）に示すように、外側から内側に巻付くように折り曲げられ、下端が最下位の横線４ｂ（網状側枠２の下辺の横線）より上の位置で切断されている。また、この上端が折り曲げられた縦線３ａの間に交互配列する縦線３ｂは、逆に下端が下辺の横線４ｂに対し、図２（Ｂ）に示すように、外側から内側に巻付くように折り曲げられ、上端が上辺の横線４ａより下の位置で切断されている。これにより、各縦線３の長さは網状側枠２の上辺及び下辺間の長さより短くなり、各縦線３の上下端部が網状側枠２から上下に突出することはなく、網状側枠の上辺及び下辺は実質上平坦（直線状）に揃えられる。このとき、縦線端部を内側に折り返すことにより、折り返された端部が網状型枠の外面に露出することがなく、作業中の引っ掛りが防止されるとともに、外面の仕上げ作業が円滑にできる。
【００２０】
なお、上辺４ａあるいは下辺４ｂで折り曲げる縦線３ａ，３ｂの位置は、波状の横線４の波の位置により縦線３が外側から内側に折り返される位置であれば、いずれの位置の縦線３であってもよい。また、１本おきに縦線の上下両端を折り返すとともに、その間の縦線は上辺４ａおよび下辺４ｂの横線と揃えた位置で上下両端を切断してよい。
【００２１】
このような上辺及び下辺がともに平坦状に揃った法枠用型枠を作製する場合、最初は縦線端部が上辺及び下辺から突出した網状側枠を用い、その突出した縦線を折曲げ又は切断して長さを短くすることにより形成する。
【００２２】
なお、網目については、上下方向の中間部より端部側の網目を大きくしてもよい。これにより、リバウンドロスを少なくして安定したコンクリート強度の法枠が得られる。
【００２３】
網状側枠の上辺及び下辺から突出する縦線端部をなくす方法としては、前述のように縦線の一端部を折り曲げて網状側枠２の上辺４ａ又は下辺４ｂに位置する横線に対して巻付けるとともに、他端側の端部は前記上辺４ａ又は下辺４ｂに位置する横線を越えて突出しないものであればよい。
【００２４】
また、上辺及び下辺の横線の位置で切断した縦線端部を、これと交差する横線とともに合成樹脂で一体的に被覆してもよい。
【００２５】
また、網状側枠２は、クリンプ金網に限らず縦線が型枠の上辺及び下辺から突出せず上辺及び下辺が実質状平坦な形状であればよく、例えば縦線と横線の交点を部分的又は全て溶接した金網等を用いることができる。
【００２６】
このように、網状側枠における縦線の端部が上辺及び下辺の横線間に位置するように加工されるため、上辺だけでなく下辺からも縦線が突出することはなく、型枠の下辺が上辺とともに実質上平坦（直線状）に揃えられる。これにより、上辺が平坦であるため、施工時にコンクリートホースや作業服等に引っ掛ることがなく、作業性が向上するとともに、下辺が平坦であるため、法面に設置したときに地山への食込みが防止され必要な高さが保たれて所定の型枠断面積を確保できる。これにより、余分のコンクリートを付加したり型枠を継ぎ足して高くする必要がなくなって、無駄がなくなり作業性が向上する。また、下辺が平坦であるため地山に食込まず、したがって現場での設置時に、一旦仮置きした後、容易に位置調整や修正が可能となり作業性を向上させることができる。
【００２７】
図３は、上記本発明に係る法枠用型枠の梱包方法の説明図である。
本発明に係る法枠用型枠１は、前述のように、網状側枠の縦線３が上辺及び下辺から突出していないため、上辺及び下辺を露出させても縦線端部による引っ掛りや傷付き等の問題は生じない。したがって、段ボール８により法枠用型枠１の両端部のみを包んで長手方向中間部は露出させたまま梱包して梱包体９を形成する。この場合、法枠用型枠１の網状側枠２（図１）を重ねて折り畳んだ状態で、複数（例えば３〜１０個）の法枠用型枠１を積み重ねて梱包する。両端の段ボール８及び中間部の露出した法枠用型枠１は、適当な位置で適宜梱包用バンド（不図示）により締付け固定される。
【００２８】
なお、梱包体９を積み重ねたときに、露出した法枠用型枠１同士が接触しないように、梱包体９の両端部だけでなく中間部も適宜段ボールで包んでもよい。
【００２９】
【実施例】
以下の表１は、梱包体を形成する矩形形状の段ボールの寸法を示す。
【００３０】
【表１】
0004678748.tif 000002
【００３１】
以下の表２は、上記段ボールを用いた本発明の梱包体の段ボールの使用量を従来の梱包体と比較して示す。減少量ｃは、ｃ＝ａ−ｂであり、減少率ｄは、ｄ＝ｃ÷ａである。
【００３２】
【表２】
0004678748.tif 000003
【００３３】
表から分かるように、本発明の梱包体は、段ボール使用量が従来に比べ大幅に減少している。減少率では全て５０％以上減少し、特にサイズが大きい型枠について減少率が大きくなり本発明の効果が顕著に得られる。
【００３４】
図４（Ａ）（Ｂ）は、本発明の梱包体を構成する法枠用型枠の別の実施形態を示す。これらの実施形態は、型枠端部に滑り止め用の突出部を設けたものである。
（Ａ）の例は、網状側枠２の両端部（又は一方のみの端部）に、下辺から下側に突出する少数本の縦線３ｃを設けたものである。突出長さＬは、例えば地山に敷いた植生用金網に引っ掛る程度の適当な長さとする。
（Ｂ）の例は、型枠の端部近傍に、縦棒７ａが縦線３より下側に適当な長さＬだけ突出するのスペーサ５ａを設けたものである。
このような縦線３ｃあるいはスペーサ５ａによる滑り止め用の突出部を設けることにより、特に地山に植生用金網を敷いた場合等に型枠が滑らず施工作業が円滑にできる。
【００３５】
【発明の効果】
以上説明したように、本発明では、法枠用型枠の長手方向の少なくとも中間部分では、上辺及び下辺から金網の縦線が突出せず実質上平坦（直線状）となるため、この部分が露出しても取扱性を低下させたり周囲を傷付けることはない。したがって、長手方向の中間部を露出させて支障なく両端部を段ボールで包むことができ、段ボールの使用量を減少させ梱包の手間を軽減するとともに廃棄処分の手間及び費用を削減することができる。
【図面の簡単な説明】
【図１】  本発明の実施形態に係る法枠用型枠の概略全体構成図。
【図２】  図１のＡ部及びＢ部の詳細図。
【図３】  本発明の梱包体の説明図。
【図４】  本発明の梱包体を構成する法枠用型枠の別の実施形態の構成説明図。
【符号の説明】
１：法枠用型枠、２：網状側枠、３：縦線、４：横線、５：スペーサ、
６：横棒、７：縦棒、８：段ボール、９：梱包体。
【図１】
0004678748.tif 000004
【図２】
0004678748.tif 000005
【図３】
0004678748.tif 000006
【図４】
0004678748.tif 000007